(57)【要約】【課題】  プリンターの用紙排出部からの異物侵入と電源スイッチの省略【解決手段】  プリンター１の用紙排出部11に、付勢手段によって常時閉じ方向に付勢された蓋６を設け、プリンターキャビネット２と蓋６には、該蓋を開いたとき、電源がＯＮ−ＯＦＦするスイッチ機能を設けている。【選択図】  図２
2006347088.tif 000002
【特許請求の範囲】
【請求項１】
開閉部材(60)を具えた電子機器において、開閉部材(60)は内開き式であって、開閉部材(60)に、該開閉部材の開閉によって電源がＯＮまたはＯＦＦするスイッチ機能が付加された電子機器。
【請求項２】
開閉部材(60)は、キャビネット(２)の天井壁(21)または側壁の一部を形成する請求項１に記載の電子機器。
【請求項３】
用紙排出部(11)に、付勢手段(７)によって常時閉じ方向に付勢された内開き式蓋(６)が設けられ、機器本体と蓋(６)には、蓋(６)の開き位置の保持と保持解除可能なロック機構(８)が設けられ、蓋(６)に該蓋の開閉によって電源がＯＮまたはＯＦＦするスイッチ機能が付加された電子機器。
【請求項４】
天井壁(21)の一部を構成する様に回転内開き式の蓋(６)が取り付けられ、蓋(６)が開いた状態で、該蓋の自由端は、機器本体の用紙排出部(11)から用紙の受取りが可能な位置にあり、蓋(６)が用紙排出の案内板(62)を兼用する請求項３に記載の電子機器。
【請求項５】
電子機器はプリンターである請求項１乃至４の何れかに記載の電子機器。
【発明の詳細な説明】
【技術分野】
【０００１】
本発明は、扉、蓋等の開閉部材を具え、該開閉部材の開閉によって電源がＯＮ−ＯＦＦするスイッチ機能を設けた電子機器に関するものである。
【背景技術】
【０００２】
プリンターまたは複写機(以下、代表して「プリンター等」と呼ぶ)は、用紙の排出口は常時開放されたままであり、該排出口からの異物や埃の侵入を防ぐことはできない。
排出口を蓋によって開閉可能とすれば上記問題は解決するが、蓋を閉じたままプリンターを起動してしまう虞れがあり、この場合、排出用紙の枚数が多いと、単なる紙詰まりでは済まない大きなトラブルを招来する。
【０００３】
上記問題を解決できるものとして、プリンター等の用紙の供給部と用紙の排出部を、それぞれ別個の蓋で閉じ、供給部の蓋を開くと自動的に電源がＯＮするものが提案されている(特許文献１)。
しかし、用紙供給部の蓋は大型で、外開き式であるから、蓋を開くと機器のキャビネットから大きく突出して邪魔になる。
又、用紙排出口の蓋は、上記外開き式の蓋とは別個に開閉操作せねばならず、面倒である。
【０００４】
【特許文献１】特開２００１−１３００９９
【発明の開示】
【発明が解決しようとする課題】
【０００５】
本発明は、上記問題を一挙に解決できる技術を課題とした。
【課題を解決するための手段】
【０００６】
請求項１の電子機器は、開閉部材(60)を具え、該開閉部材は内開き式であって、該開閉部材の開閉によって電源がＯＮまたはＯＦＦするスイッチ機能が付加されてる。
【０００７】
請求項２は請求項１の電子機器において、開閉部材(60)は、キャビネット(２)の天井壁(21)または側壁の一部を形成している。
【０００８】
請求項３の電子機器は、用紙排出部(11)に、付勢手段によって常時閉じ方向に付勢された蓋(６)を設け、機器本体と蓋(６)には、蓋(６)を開き位置の保持と保持解除可能なロック機構(８)を設け、更に、蓋(６)に該蓋の開閉によって電源がＯＮまたはＯＦＦするスイッチ機能を設けている。
【０００９】
請求項４は、請求項３の電子機器において、天井壁(21)の一部を構成する様に回転内開き式の蓋(６)が取り付けられ、蓋(６)が開いた状態で、該蓋の自由端は機器本体の用紙排出部(11)からの用紙の受取りが可能な位置にあり、蓋(６)が用紙排出の案内板(62)を兼用する。
【００１０】
請求項５は、請求項１乃至４の何れかに記載の電子機器がプリンターである。
【発明の効果】
【００１１】
請求項１の電子機器は、開閉部材(60)に、該開閉部材の開閉によって電源がＯＮ−ＯＦＦするスイッチ機能を設けているから、開閉部材(60)をプリンター等の用紙排出部(11)の蓋(６)とすることにより、プリンター等の電源がＯＦＦのときは、用紙排出部(11)は閉じて、異物や埃の侵入を防止できる。
用紙排出部(11)が閉じているときは、電源がＯＦＦであるから、用紙排出部(11)の蓋(６)が閉じたまま、プリンター等が起動する虞れはなく、紙詰まり等のトラブルを確実に防止できる。又、該蓋(６)が開いているか否かは、プリンター等から離れていても目視で分かるから、電源がＯＮかＯＦＦを知るのに便利である。
外観上は電源スイッチは存在しないから、電源スイッチによって機器のデザイン的制約を受けることはない。
電子機器の操作パネルに複数のスイッチが配置される場合でも、電源スイッチが省略されているから、スイッチ操作の誤りも少なくなる。
開閉部材(60)が内開き式であるから、開閉部材(60)を開いても、該電子機器のキャビネット(２)から開閉部材(60)が突出して邪魔になることはない。
【００１２】
請求項２の電子機器は、開閉部材(60)が機器のキャビネット(２)の天井壁(21)または側壁の一部を形成しているから、開閉部材(60)の設置スペースを必要とせず、機器をコンパクトに纏めることができる。
【００１３】
請求項３の電子機器は、請求項１の効果で説明済みである。
【００１４】
請求項４の電子機器は、蓋(６)が用紙排出の案内板(63)を兼用するから、即ち、蓋(６)は、用紙排出部(11)の塞ぎと開放、機器のキャビネット(２)の天井壁(21)の一部、及び用紙の案内板の３つの役割を兼用するため、機器の構成の簡素化、部品点数の減少に寄与できる。
【発明を実施するための最良の形態】
【００１５】
図１、図２は、大プラテンローラ方式のサーマルプリンターに本発明を実施した状態を示している。
図１、図２において、左側が「前」、右側を「後」とする。
大プラテンローラ方式のプリンター(１)は、キャビネット(２)内に、上から下にリボンカセット(４)、大径のプラテンローラ(３)及び印刷用紙Ｓを積層して収容したトレイカセット(５)が配備される。
トレイカセット(５)は、キャビネット(２)の前方へ引き出し可能である。
キャビネット(２)の前部に天井壁(21)に近接して斜め後方上向きに横長スリット状の用紙排出部(11)が設けられている。
【００１６】
公知の如く、プリンター内の送りローラ(図示せず)によってトレイカセット(５)から１枚づつ送り出される印刷用紙Ｓは、ガイド群(図示せ)に案内されてプラテンローラ(３)に巻き付き、サーマルヘッド(図示せず)によってリボンカセット(５)内のインクリボンが印刷用紙Ｓに押圧され、この状態で印刷用紙Ｓがプラテンローラ(３)と一緒に回転して印刷がなされ、印刷を終了した印刷用紙Ｓは用紙排出部(11)からキャビネット(２)の外に排出される。
【００１７】
キャビネット(２)の天井壁(21)の前部は、電源スイッチを除く各種スイッチ群(22)を配置した制御パネル部(23)となっている。該天井壁(21)は、用紙排出部(11)との対応位置から後方へ略四角形に大きく開口して、該開口に蓋(６)を取り付けている。
蓋(６)は、印刷用紙Ｓが載る大きさである。
蓋(６)は、キャビネット(２)の後部天井壁に、上下に回転して開閉可能にヒンジ(61)にて支持された内開き式であって、該ヒンジ近傍に設けたトーションバネ等の付勢手段(７)にて常時閉じ方向に付勢されている。
閉じ状態の蓋(６)は、天井壁(21)と面が揃っている。
蓋(６)を閉じると前記用紙排出部(11)は外部から隠れる。蓋(６)を開くと用紙排出部(11)が全開し、蓋(６)の自由端は、用紙排出部(11)の下端高さに対応して、用紙排出部(11)からの印刷用紙Ｓの受け取りが可能となる。
【００１８】
蓋(６)の自由端と機器本体には、蓋(６)を付勢手段(７)に抗して開いたとき、開き位置に保持でき、開き状態の蓋を更に開き方向に加圧すると開き保持が解除されるロック機構(８)が設けられる。この種ロック機構は、公知であるので説明は省略する。
【００１９】
上記蓋(６)は、該蓋(６)を開くと電源がＯＮし、閉じるとＯＦＦするスイッチ機能を有す。
スイッチ機能を実現するためには、例えば、キャビネット(２)側に、蓋(６)の開閉移行路に突出するスイッチ片を配備し、蓋(６)の開閉によって該スイッチ片を動作させる、或いは光電管等の無接触センサーによって蓋(６)の開閉を検知して電源がＯＮ−ＯＦＦする様にすればよい。
【００２０】
然して、上記プリンター(１)は、図３ａに示す如く、蓋(６)が閉じた状態では用紙排出部(11)は外部に露出せず、用紙排出部(11)からの異物や埃の侵入を防止できる。
蓋(６)がキャビネット(２)の天井壁(21)の一部を形成しているから、蓋(６)の設置スペースを必要としない。
キャビネット(２)の天井壁(21)の開口は蓋(６)で塞がっており、スッキリとした外観であり美観が向上する。
用紙排出部(11)が閉じた状態では、電源はＯＦＦであるから、用紙排出部(11)の蓋(６)が閉じたまま、プリンター等が起動する虞れはなく、紙詰まり等のトラブルを確実に防止できる。
蓋(６)は内開き式であるから、図３ｂに示す如く、蓋(６)を開いたとき、キャビネット(２)から蓋(６)が突出して邪魔になることはない。
【００２１】
印刷を開始しすると、図２、図３ｃに示し、前記した様に、印刷用紙Ｓがプリンター内を走行して、用紙排出部(11)に達した印刷済み用紙Ｓ1は、待ち受ける蓋(６)の上面を術って排出される。即ち、蓋(６)は印刷用の排出案内を行う案内板(62)を兼用する。
上記の如く、蓋(６)は、用紙排出部(11)の塞ぎと開放、機器のキャビネット(２)の天井壁(21)の一部、及び用紙の案内板の３つの役割を兼用するため、機器の構成の簡素化、部品点数の減少に寄与できる。
【００２２】
又、操作パネルから電源スイッチを無くすことができ、スイッチ操作の誤りを少なくできる。
プリンターは、外観上は電源スイッチは存在しないから、電源スイッチによって機器のデザイン的制約を受けることはない。
操作パネルに複数のスイッチが配置される場合でも、電源スイッチが省略されてスイッチの個数を減らすことができるから、スイッチ操作の誤りも少なくなる。
【００２３】
図４は、キャビネット(２)の前側壁に開設した開口に蓋(６)を配備したプリンターの他の実施例を示している。
蓋(６)は、その下端をヒンジ止めされた内開き式である。
図を見れば理解できると思料するので説明は省略する。
【００２４】
尚、蓋(６)は、上記の前側壁、前記した天井壁(21)に限らず、後側壁或いは横側壁に開口を設けて該開口に配備し、蓋(６)を側壁の一部として兼用させることができるのは勿論である。
【００２５】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００２６】
例えば、本発明を複写機に実施しても、上記同様の効果を奏する。
更に本発明は、上記の様な蓋(６)に限らず、扉等の開閉部材(60)を具えた電子機器であれば実施可能である。
【図面の簡単な説明】
【００２７】
【図１】図１は、プリンターの概略断面図である。
【図２】図２は、同上のプリンターにおける、印刷用紙の走行経路の説明図である。
【図３】ａ図は、蓋を閉じた状態、ｂ図は蓋を開いた状態、ｃ図は印刷済み用紙が排出される状態のプリンターの斜視図である。
【図４】他の実施例プリンターにおいて、ａ図は、蓋を閉じた状態、ｂ図は蓋を開いた状態、ｃ図は印刷済み用紙が排出される状態のプリンターの斜視図である。
【符号の説明】
【００２８】
１  プリンター
10  筺体型電子機器
11  用紙排出部
２  キャビネット
21  天井壁
６  蓋
60  開閉部材
【図１】
2006347088.tif 000003
【図２】
2006347088.tif 000004
【図３】
2006347088.tif 000005
【図４】
2006347088.tif 000006